(57)【特許請求の範囲】
【請求項１】
着用した使用者の胸部の骨の歪みを矯正する歪み矯正シャツであって、
伸縮性を有する生地で形成されているシャツ部と、
前記シャツ部の前身頃上半分の領域において、左右方向の一方側の襟元から肋骨の第６肋骨位置の範囲に形成されており、前記シャツ部を裏表ひっくり返して着用することで前身頃上半分の領域において左右方向の他方側に配置され、前記シャツ部の前記生地より伸縮性が低い第１拘束部と、
前記シャツ部の後身頃上半分の領域において、左右方向の他方側に形成されており、前記シャツ部を裏表ひっくり返して着用することで後身頃上半分の領域において左右方向の一方側に配置され、前記シャツ部の前記生地より伸縮性が低い第２拘束部と、
を備える歪み矯正シャツ。
【請求項２】
前記シャツ部の一方側の肩部から、前記第１拘束部まで形成されており、前記シャツ部の前記生地より伸縮性が低い第１肩部拘束部と、
前記シャツ部の他方側の肩部から、前記第２拘束部まで形成されており、前記シャツ部の前記生地より伸縮性が低い第２肩部拘束部と、
を備える請求項１に記載の歪み矯正シャツ。
【発明の詳細な説明】
【技術分野】
【０００１】
本発明は、歪み矯正シャツに関し、特に、着用した使用者の胸部の骨の歪みを矯正する歪み矯正シャツに関する。
【背景技術】
【０００２】
従来、胸部の骨（例えば、肋骨等）の歪みを矯正することで、姿勢改善、頚、肩、胸の痛みの緩和等の効果がある。このような歪みはサポーターを装着することで、改善される。
【０００３】
このようなサポーターとして、ベスト状の上部サポーターと帯状の下部サポーターとを有し、上部サポーターが体の背骨に接する背骨部材と、体の胸部及び肩甲骨近傍に接する左右肩部材と、左右肩部材の下側に体の肋骨と接する左右肋骨上部材と、左右肋骨上部材の下側に体の肋骨と接する左右肋骨下部材とを有し、下部サポーターが着用時に体の仙骨近傍に接する略逆三角形状の仙骨部材と、仙骨部材に連接された左骨盤ベルト及び右骨盤ベルトとを有する整体ウェアが提案されている（特許文献１参照）。
このような整体ウェアによれば、肋骨及び骨盤を包み込む力で適度に体を整体させることができる。
【先行技術文献】
【特許文献】
【０００４】
【特許文献１】特開２００８−１０６３８６号公報
【発明の概要】
【発明が解決しようとする課題】
【０００５】
しかしながら、特許文献１の整体ウェアは、使用者の上半身を全体的に上部サポーターで拘束するため、使用者が苦痛を感じ、長時間使用できないという問題があった。
【０００６】
本発明は、胸骨や肋骨の歪みを矯正可能であり、使用者の身体への負担を軽減可能な歪み矯正シャツを提供することを目的とする。
【課題を解決するための手段】
【０００７】
（１）  着用した使用者の胸部の骨の歪みを矯正する歪み矯正シャツであって、
伸縮性を有する生地で形成されているシャツ部と、
前記シャツ部の前身頃上半分の領域において、左右方向の一方側の襟元から肋骨の第６肋骨位置の範囲に形成されており、前記シャツ部を裏表ひっくり返して着用することで前身頃上半分の領域において左右方向の他方側に配置され、前記シャツ部の前記生地より伸縮性が低い第１拘束部と、
前記シャツ部の後身頃上半分の領域において、左右方向の他方側に形成されており、前記シャツ部を裏表ひっくり返して着用することで後身頃上半分の領域において左右方向の一方側に配置され、前記シャツ部の前記生地より伸縮性が低い第２拘束部と、
を備える歪み矯正シャツ。
【０００８】
（１）の構成によれば、着用した使用者の胸部の骨の歪みを矯正する歪み矯正シャツは、シャツ部と、第１拘束部と、第２拘束部と、を備える。
シャツ部は、伸縮性を有する生地で形成されている。
第１拘束部は、シャツ部の前身頃上半分の領域において、左右方向の一方側に形成されており、シャツ部の生地より伸縮性が低い。
第２拘束部は、シャツ部の後身頃上半分の領域において、左右方向の他方側に形成されており、シャツ部の生地より伸縮性が低い。
【０００９】
これにより、シャツ部を使用者が着用した場合、シャツ部の生地より伸縮性が低い第１拘束部及び第２拘束部は、使用者の身体の中心に、互いに対向した位置に配置され、第１拘束部が使用者の胸部を拘束する。よって、使用者の胸部の骨の歪みを矯正することが可能となる。
また、シャツ部の第１拘束部及び第２拘束部以外の部分は、伸縮性を有する生地で形成されているので、使用者の身体への負担を軽減できる。
したがって、胸骨や肋骨の歪みを矯正可能であり、使用者の身体への負担を軽減可能な歪み矯正シャツを提供できる。
【００１０】
ここで、胸部の骨は、人によって、右側が歪んでいる場合もあるし、左側が歪んでいる場合もある。
（１）の発明によれば、例えば、シャツ部を反転して着用することで、第１拘束部は前身頃上半分の領域において左右方向の他方側に配置され、第２拘束部は後身頃上半分の領域において左右方向の一方側に配置される。即ち、シャツ部を反転して着用することで、第１拘束部の位置を左右反転することができる。
これにより、使用者の胸部の骨の歪みの状況に応じて、第１拘束部の位置を右側に配置することもできるし、左側に配置することもできる。
【００１１】
（２）  前記シャツ部の一方側の肩部から、前記第１拘束部まで形成されており、前記シャツ部の前記生地より伸縮性が低い第１肩部拘束部と、
前記シャツ部の他方側の肩部から、前記第２拘束部まで形成されており、前記シャツ部の前記生地より伸縮性が低い第２肩部拘束部と、
を備える（１）又は（２）に記載の歪み矯正シャツ。
【００１２】
（２）の構成によれば、第１肩部拘束部と、第２肩部拘束部と、を更に備える。
第１肩部拘束部は、シャツ部の一方側の肩部から、第１拘束部まで形成されており、シャツ部の生地より伸縮性が低い。
第２肩部拘束部は、シャツ部の他方側の肩部から、第２拘束部まで形成されており、シャツ部の生地より伸縮性が低い。
【００１３】
これにより、シャツ部を使用者が着用した場合、肩にテーピングをした場合と同様の効果を得られ、肩の緊張を緩和することができる。
【発明の効果】
【００１４】
本発明によれば、胸骨や肋骨の歪みを矯正可能であり、使用者の身体への負担を軽減可能な歪み矯正シャツを提供できる。
【図面の簡単な説明】
【００１５】
【図１】本発明の一実施形態に係る歪み矯正シャツ１の使用状態を示す図である。
【図２】前記実施形態に係る歪み矯正シャツ１の正面図である。
【図３】前記実施形態に係る歪み矯正シャツ１の背面図である。
【発明を実施するための形態】
【００１６】
本発明の実施形態に係る歪み矯正シャツ１の構成を図面に基づいて説明する。
図１は、本発明の一実施形態に係る歪み矯正シャツ１の使用状態を示す図である。
図２は、前記実施形態に係る歪み矯正シャツ１の正面図である。
図３は、前記実施形態に係る歪み矯正シャツ１の背面図である。
歪み矯正シャツ１は、着用した使用者１００の胸部の骨の歪みを矯正するものであり、シャツ部１０と、第１拘束部２０と、第２拘束部３０と、第１肩部拘束部４０と、第２肩部拘束部５０と、を備える。
【００１７】
シャツ部１０は、伸縮性を有する生地で形成されている。シャツ部１０は、一般的なティシャツ等で構成されている。
【００１８】
第１拘束部２０は、シャツ部１０の前身頃上半分の領域において、左右方向の一方側に形成されており、シャツ部１０の生地より伸縮性が低い。第１拘束部２０は、使用者が歪み矯正シャツ１を着用した場合に、シャツ部１０の襟元から肋骨の第６肋骨位置まであればよく、使用者の第１肋骨から第６肋骨部分を覆う範囲で形成され、また背部は第８肋骨を覆うように形成されているのが望ましい。
【００１９】
なお、図１〜図３に示す例では、第１拘束部２０は、使用者の左側に配置されているが、シャツ部１０を裏表ひっくり返して着用することで、使用者の右側に配置することもできる。
【００２０】
図３に示すように、第２拘束部３０は、シャツ部１０の後身頃上半分の領域において、左右方向の他方側に形成されており、シャツ部１０の生地より伸縮性が低い。第２拘束部３０は、使用者が歪み矯正シャツ１を着用した場合に、肩甲骨を覆う範囲で形成されているのが望ましい。
【００２１】
図２に示すように、第１肩部拘束部４０は、シャツ部１０の一方側の肩部から、第１拘束部２０まで形成されており、シャツ部１０の生地より伸縮性が低い。第１肩部拘束部４０は、シャツ部１０の肩先から中央方向に斜めに延び、第１拘束部２０に接続している。
【００２２】
図３に示すように、第２肩部拘束部５０は、シャツ部１０の他方側の肩部から、第２拘束部３０まで形成されており、シャツ部１０の生地より伸縮性が低い。第２肩部拘束部５０は、シャツ部１０の肩先から中央方向に斜めに延び、第２拘束部３０に接続している。
【００２３】
なお、図２及び図３に示す例では、第１拘束部２０、第２拘束部３０、第１肩部拘束部４０及び第２肩部拘束部５０は、テーピング用のテープにより形成しているが、シャツ部１０の生地より伸縮性の低い素材（例えば、樹脂やシリコン等）により、シャツ部１０と一体成形することが望ましい。
【００２４】
本実施形態に係る歪み矯正シャツ１によれば、以下の作用効果を奏する。
歪み矯正シャツ１は、シャツ部１０を使用者が着用した場合、シャツ部１０の生地より伸縮性が低い第１拘束部２０及び第２拘束部３０が、使用者１００の身体の中心に、互いに対向した位置に配置され、第１拘束部２０が使用者の胸部を拘束する。よって、使用者の胸部の骨の歪みを矯正することが可能となる。
また、シャツ部１０の第１拘束部２０及び第２拘束部３０以外の部分は、伸縮性を有する生地で形成されているので、使用者の身体への負担を軽減できる。
したがって、胸骨や肋骨の歪みを矯正可能であり、使用者の身体への負担を軽減可能な歪み矯正シャツを提供できる。
【００２５】
また、歪み矯正シャツ１は、例えば、シャツ部１０を反転して着用することで、第１拘束部２０は前身頃上半分の領域において左右方向の他方側に配置され、第２拘束部３０は後身頃上半分の領域において左右方向の一方側に配置される。即ち、シャツ部１０を反転して着用することで、第１拘束部２０の位置を左右反転することができる。
これにより、使用者１００の胸部の骨の歪みの状況に応じて、第１拘束部２０の位置を右側に配置することもできるし、左側に配置することもできる。
【００２６】
また、歪み矯正シャツ１は、第１肩部拘束部４０及び第２肩部拘束部５０を備えることで、シャツ部１０を使用者１００が着用した場合、肩にテーピングをした場合と同様の効果を得られ、肩の緊張を緩和することができる。
【００２７】
なお、本発明は前記実施形態に限定されるものではなく、本発明の目的を達成できる範囲での変形、改良等は本発明に含まれるものである。
【符号の説明】
【００２８】
１      歪み矯正シャツ
１０    シャツ部
２０    第１拘束部
３０    第２拘束部
４０    第１肩部拘束部
５０    第２肩部拘束部
【図１】
0006738178.tif 000002
【図２】
0006738178.tif 000003
【図３】
0006738178.tif 000004